(57)【特許請求の範囲】
【請求項１】
使用者が首部（９）の運動をする際に前記首部（９）の運動を補助する首部運動補助具（１）であって、
前記首部運動補助具（１）は、使用者の前記首部（９）に当接する少なくとも一つの当接部（２）と、
使用者の前記首部（９）の周囲部に係合する馬蹄形状のアーム部（３）と、
前記アーム部（３）に形成する少なくとも一つの接続部（４）と、
前記アーム部（３）に形成され使用者の背部（１１）に係合する少なくとも一つの背部係合部（５）と、
前記アーム部（３）に形成され使用者の肩部（１２）に係合する少なくとも一対の肩部係合部（６）と、
前記アーム部（３）の先端に左右対称に接合するハンドル部（７）と、
前記アーム部（３）に装着する少なくとも一つの水準器部（８）と、
からなり、
前記当接部（２）は、相対する前記接続部（４）とそれぞれ接続され、
前記接続部（４）の一つは、前記アーム部（３）を左右に二分する位置に形成され、
前記背部係合部（５）の一つは、前記アーム部（３）を左右に二分する位置に形成され、
前記肩部係合部（６）は、前記アーム部（３）を左右に二分する位置から左右対称に設けられ、
前記当接部（２）は、前記首部（９）に当接し、前記首部（９）の屈曲及び伸展、左測屈及び右測屈、左回旋及び右回旋などの動作を繰り返す前記首部（９）の運動を補助するように構成している
ことを特徴とする前記首部運動補助具（１）。
【請求項２】
前記当接部（２）は、使用者の後頭部（１０）に当接する
ことを特徴とする請求項１に記載の前記首部運動補助具（１）。
（１）
【発明の詳細な説明】
【技術分野】
【０００１】
本発明は、首部の運動を補助する具材に関する。            
【背景技術】
【０００２】
現在、私たちの生活は、パソコン及びスマートホンなどの長時間の使用が原因となり、首部及び肩部の不調を招き、次第に肩こりや痛みなどの症状を示す人が増加している。
特に、スマートホンの使用は、背中を丸め、顔をつき出す崩れた首部の姿勢を続けることの弊害による各種疾患が問題視されている。
さらに、猫背などが示すように、椅子に座る生活環境や加齢が正常な姿勢の維持を困難にしている。
また、各種の運動は、人体が歪んだ状態で継続すると、各筋骨系のアンバランスを促進してしまう危険性をはらんでいる。
【０００３】
つまり、特に顎を突き出す姿勢では、首部が前に倒れ頸椎が直線状の形状を示し、首部及び背部の筋肉群を緊張させ、長時間続けると首部や肩の血液の流れを阻害し疲労物質が蓄積され、こりや痛みを引き起こし、人体の不自然な姿勢を招いてしまう。
本来の頸椎は、Ｓ字状の形状を示し、人体の動揺あるいは動作を柔軟に受け止める形状を獲得し、立位姿勢時及び歩行時において重い頭部を効率よく支えるための形状に進化したともいえる。
【０００４】
現在、首部の運動が提唱されているが、個々人の思いつきでの不確実で曖昧な運動になり、継続的な実行は長続きせず、さらに、瞬間的で強い動作がかえって頸椎を損傷してしまう恐れを抱えている。  
また、首部や肩部のこった状態や痛みを伴う状態を、マッサージ治療やマッサージ器具を用いて緩和させるなど、保護する対策に終始しているが、一時しのぎの効果でしかなく、対処療法では根本的な解決を図ることは出来ないと考えるものである。
そもそも、運動とは、筋肉及び骨格の動作を連続する行為であり、首部においても筋肉を鍛える運動を避けていては基本的な解決には至らないと考えるものである。
【０００５】
まず、人体の頸部筋肉を鍛錬する鍛錬具が提案されている。（特許文献１）
この提案は、踏板上の中央部へリンクする下方の対偶部の関節軸部付近をそれぞれが抗張弾機を介して踏板上に接続しかつリンクの上方の対偶部の関節軸へ長さの調節可能な牽引条体を介して後頭部被着体を接続せしめることを特徴とする頸部鍛錬具である。
しかし、この提案は、頸部の屈曲及び伸展運動を目的としており、疲労し緊張している状態の筋肉には過度の運動である。
また、首部の状態が良好な使用者には効果的であるが、一般の使用者には過剰な負担を与えてしまう。
【０００６】
次の提案は、後頭部に補助具を付け、補助具に設けられた突起部を手で押したり引いたりすることで少し廻したり傾けたりすることで、首部筋と肩の筋肉をほぐす効果的な体操を実現する提案がなされている。（特許文献２）
この提案は、首部の運動を自主的に継続することが困難であることの解決策として具材を使用するものである。
しかし、突起を取り付けた補助具を頭部に装着し、片手あるいは両手で押したり引いたりする行為は、首部の可動域をこえた動作をさせてしまう可能性があり、強い引っ張りや押圧に抵抗するなどの不正確な運動がアンバランスな筋骨系を促進すると共に頸椎を損傷
させてしまうものと危惧するものである。
【先行技術文献】
【特許文献】
【０００７】
【特許文献１】実用新案第昭４８−３６８７０号公報
【特許文献２】特開第２０１１−２２９９１５号公報
【発明の概要】
【発明が解決しようとする課題】
【０００８】
そもそも、人間は、歩行する進化の過程で重い頭部を効率よく支えることを学び、直立姿勢を獲得し現在に至っている。
また、人体の構造は、頭部及び体幹、上肢及び下肢を用いて立位姿勢のバランスを無意識に維持する機能を獲得する過程を基に進化してきたともいえる。
また、人間の首部は、屈曲及び伸展、左測屈及び右測屈、左回旋及び右回旋などを取り混ぜた複雑な動作をする広い可動域を備えている。
また、首部は、重い頭部を細い首部で支え人体のバランスを保持する要求から頸椎がS字形状を示す構造を獲得している。
また、頸椎がS字形状は、腰椎のS字形状と相関し、双方の正常な形状が正常な姿勢を形成している。
さらに、頸椎は、重い頭部を支持すると共に重い上肢を懸垂している。
つまり、頸椎は、重い頭部を保持し、両上肢の大きな運動の可動域を支え、両手の繊細な動作を保証している重要な部位である。
また、正常な頸椎の自由な動作は、人体の正常な動作を担保することにつながり、人体の各抗重力筋と連絡し、正常な立位姿勢の維持に欠かせない条件でもある。
【０００９】
元来、人間の人体は、頭部が前方へ傾斜する構造であり、生活習慣や加齢が作用し前方への傾斜を促進するので姿勢が前屈みになりがちである。
さらに、私たちの生活環境は、椅子に座りパソコン及びスマートホンなどを使用する生活が、首部及び頭部の姿勢の不安定化を加速させている。
特に、顎を突き出す姿勢は、首部及び肩部及び背部の各種筋肉の緊張を高め、こりや痛みを伴う多様な問題を人体に示し、健康に悪影響を及ぼすと共に正しい姿勢を維持することを困難にしている。
【００１０】
つまり、頭部の不自然な姿勢は、首部及び肩部、背部などの筋肉群を緊張させ、加齢などの要因も加わり各筋肉群の弱体化が各筋肉群のアンバランスを招き、特に頸椎の直線性が示すように人体各部の不調の原因であると認識するものである。
そこで、頸椎を正常に導くには、首部の筋肉群の強化を図ると共に筋バランスを整えることが求められると考えるものである。
今日、首部の運動は、上肢を用いて頭部を傾倒させる不確実で曖昧な一過性の動作であり、首部を自ら強く動作させる強い衝撃を伴う反復運動など、各人各様の危険を伴う運動に終始しているのが現実である。
【００１１】
本発明は、首部を屈曲及び伸展、左測屈及び右測屈、左回旋及び右回旋する動作を、基本軸を基に確実に反復実行させることを目的とするものである。
本発明は、首部又は後頭部に当接部を当接させることで当接部を意識させ、当接部が壁となり、当接部を接点としてゆっくりと動作する反復運動を実現し、水準器を用いて視覚的に正確な運動を完成させるものである。
本発明は、首部の正確な動作が首部の可動域の最長幅を発見する運動を実現し、首部の筋肉群のバランスを整え強化する安全で正確な首部運動補助具を提供するものである。                                                                        
【課題を解決するための手段】
【００１２】
本発明の首部運動補助具（１）は、  使用者が首部（９）の運動をする際に前記首部（９）の運動を補助する首部運動補助具（１）であって、
使用者の前記首部（９）に当接する少なくとも一つの当接部（２）と、
使用者の前記首部（９）の周囲部に係合する馬蹄形状のアーム部（３）と、
前記アーム部（３）に形成する少なくとも一つの接続部（４）と，
前記アーム部（３）に形成され使用者の背部（１１）に係合する少なくとも一つの背部係合部（５）と、
前記アーム部（３）に形成され使用者の肩部（１２）に係合する少なくとも一対の肩部係合部（６）と、
前記アーム部（３）の先端に左右対称に接合するハンドル部（７）と、
前記アーム部（３）に装着する少なくとも一つの水準器部（８）と、
からなり、
前記当接部（２）は、相対する前記接続部（４）とそれぞれ接続し、
前記接続部（４）の一つは、前記アーム部（３）を左右に二分する位置に形成され、
前記背部係合部（５）の一つは、前記アーム部（３）を左右に二分する位置に形成され、
前記肩部係合部（６）は、前記アーム部（３）を左右に二分する位置から左右対称に設けられ、
前記当接部（２）は、前記首部（９）に当接し、前記首部（９）の屈曲及び伸展、左測屈及び右測屈、左回旋及び右回旋の動作を繰り返す前記首部（９）の運動を補助するように構成していることを特徴とする。
【００１３】
本発明の首部運動補助具（１）は、前記当接部（２）が使用者の後頭部（１０）に当接することを特徴とする。
【発明の効果】
【００１４】
本発明の第一の効果は、現在、人々が実行している曖昧で不確実な各個人の癖のある首の運動を、本発明の当接部に首部又は後頭部を当接させ、屈曲及び伸展、左測屈及び右測屈、左回旋及び右回旋などに首部の動作を繰り返す子が出来るようにしたので、正確で確実な首の動作を首の運動として実現するものである。
結果、今日まで首の運動を確実に実行する器具を持たない運動器具市場に、簡易な構造で場所及び時間に左右されない、首を運動させる新規の市場を提供するものである。
さらに、本発明の首運動補助具は、頸椎のＳ字構造の正常化が腰椎のＳ字構造を正常化
し、体幹部の各抗重力筋群のバランスを取り戻すので、特に首、胸部、下腹部の筋群を強化する痩身の新規の市場を提供するものである。
新規の市場を創設するものである。
【００１５】
本発明の第二の効果は、本発明の当接部に首部又は後頭部を当接させた状態で首部を動作させるようにしたので、当接部の上を首部又は後頭部がゆっくりと確実に動作することを可能にすることで、人体の基本軸を基にする正確で確実な首の動作を繰り返す運動を補助する手段を実現するものである。
結果、本発明の首部運動補助具は、首部の筋群を強化し正常な筋バランスへと導き、肩こりや首部の痛みを軽減し予防すると共に短時間の首部運動で疲労の回復を実現するものである。
【００１６】
本発明の第三の効果は、本発明の当接部と背部係合部が縦軸を確認し、アーム部が横軸を確認できるようにした構成したので、人体の基本軸を基に屈曲及び伸展、左測屈及び右測屈、左回旋及び右回旋などに首部の動作を正確で確実に実効出来るようしたものである。
さらに、水準器で横軸及び縦軸を視覚的に確認することが出来るようにしたので、使用者の各人固有の肩部及び首部及び後頭部の歪みを補正し、正確な首部の動作を実現するものである。
結果、本発明の首部運動補助具は、首部の動作が首部の可動域を確認しながらゆっくりと動作するので、首部の可動域の最長幅を発見する運動が頸椎のＳ字カーブを回復させるものである。
さらに、首部の正確な動作は、首部内部の筋群のバランスを整え強化するので、首部表面の皮膚の緊張を整えるので、首部のたるみを解消することが出来る。
【００１７】
本発明の第四の効果は、使用者が両手を胸部の位置に在るハンドル部を握り、ハンドル部からアーム部を介して当接部の当接具合をコントロールすることができるようにしたので、両手が胸部の位置に在り、両上肢が体幹部に係合し一体化する身体状態を作りだし、首部の動作に両上肢干渉することを防止するので、首部を屈曲及び伸展、左測屈及び右測屈、左回旋及び右回旋をゆっくりと確実に実行させることを実現するものである。
結果、首部の正確な運動が座位姿勢又は立位姿勢時においても各抗重力筋群と連絡して運動するので、体幹部及び下肢部の抗重力筋群を緊張させ、下腹部及び臀部、胸部などの各筋群も共に強化することができるようになり、頸椎のＳ字カーブと連動する腰椎のＳ字カーブを回復させることが出来るようにしたものである。
【００１８】
本発明の第五の効果は、本発明の首運動補助具が簡易で安価な構造であり、使用場所、使用時間にとらわれず、座位姿勢あるいは立位姿勢においても使用できるようにしたので、新規の効果的で安全な首部の運動を実現するものである。
結果、短時間の首部運動で疲労の回復を実現出来るようにすると共に、人体各部の不自然な姿勢が形成する不自然な筋群の分布を自然で均整のとれた筋群にするので、正常で健康な姿勢を実現するものである。
【００１９】
本発明の第六の効果は、本発明の首運動補助具を首部に係合させ動作しない使用形態において、首部の姿勢を正常に保ち正常に導くことを実現するものである。
また、座位姿勢での睡眠時の後頭部を安定化する効果を発揮するものである。
結果、作業時において不安定な状態の首部及び後頭部の保護、通話及び音響装置の内臓又は装着、保温効果など、首を運動しない使用形態での効果が生活環境を向上させるものである。
【図面の簡単な説明】
【００２０】
【図１】図１は、実施例１である首部運動補助具１の例を示す斜視図である。
【図２】図２は、図１の使用例を示す略測面図である。
【図３】図３は、図１の使用例を示す略背面図である。
【図４】図４は、実施例２である首部運動補助具１の例を示す斜視図である。
【図５】図５は、図４の使用例を示す略測面図である。
【図６】図６は、図４の使用例を示す略背面図である。
【図７】図７は、首部９が屈曲及び伸展をする動作の例を示す略測面図である。        図７のａは、首部９の基本位の例を示すものである。        図７のｂは、首部９が屈曲する例を示すものである。        図７のｃは、首部９が伸展する例を示すものである。
【図８】図８は、首部９が左測屈及び右測屈する動作の例を示す略背面図である。        図８のａは、首部９の基本位の例を示すものである。        図８のｂは、首部９が左測屈する例を示すものである。        図８のｃは、首部９が右測屈する例を示すものである。
【図９】図９は、首部９の左回旋及び右回旋する動作の例を示す略上面図である。        図９のａは、首部９の基本位の例を示すものである。        図９のｂは、首部９が左回旋する例を示すものである。        図９のｃは、首部９が右回旋する例を示すものである。
【発明を実施するための形態】
【実施例１】
【００２１】
実施例１は、図１、図２、図３を用いて本発明の首部運動補助具１の実施の例を詳細に説明する。
また、実施例1の特徴は、当接部２が使用者の首部９に当接することである。
図１は、実施例１である首部運動補助具１の例を示す斜視図である。
図２は、図１の使用例を示す略測面図である。
図３は、図１の使用例を示す略背面図である。
【００２２】
まず、図１、図２、図３に示す首部運動補助具１は、使用者の首部９に当接する三つの当接部と、アーム部３に形成する当接部２が接続する三つの接続部４と、アーム部３に形成する三つの背部係合部５と、アーム部３に形成する二対の肩部係合部６と、アーム部３に接合する一対のハンドル部７と、アーム部３に装着する二つの水準器部８で構成されている。
【００２３】
次に、図１、図２、図３に示す当接部２は、使用者が触れることが出来る第七頸椎部分に当接する中央当接部２ａと、使用者の首部９の側面部に当接する中央当接部２ａの左右に左右対称に形成する一対の横当接部２ｂで構成されている例を示しているが、当接部２の形状及び数など本実施例に限定するものではない。
また、図１、図２、図３に示す当接部２は、簡易で安価に形成する要求に対応が求められることは当然であり、好適な当接部２とアーム部３が一体形成される仕様は当然である。
【００２４】
次に、図１、図２、図３に示す中央当接部２ａは、アーム部３が左右に二分する位置に直交して形成している接続部４と接続している例を示すものである。
また、図１、図２、図３に示す中央当接部２ａと接続する接続部４は、アーム部３と使用者の肩部１２との関係に対応するために、接続部４の角度が多様性を求められるので、複数の角度を備えることは当然であり、ここで特定はしない。
また、図１、図２、図３に示す中央当接部２ａは、球形状の形状を示しているが使用者が求める形状が好適に採用されるものであり特定はしない。
また、図１、図２、図３に示す中央当接部２ａは、使用者の第七頸椎部分に当接することを前提としているが特定はしない。
また、図１、図２、図３に示す中央当接部２ａは、使用者が意識できる素材が好適に採用され使用されるものであり特定はしない。
また、図１、図２、図３に示す中央当接部２ａは、使用者の第七頸椎部分に当接し、使用者の肩部１２の僧帽筋の間の窪みに当接する中央背部係合部５ａと共に縦軸を構成し、アーム部３と直交する構造を形成するものである。
また、図１、図２、図３に示す中央当接部２ａは、アーム部３の操作を受けて上下させる使用も可能である。
また、図１、図２、図３に示す中央当接部２ａは、使用者の首部９の僧帽筋の間の窪みに当接させる使用形態も可能であり、僧帽筋の間の窪みの上部に当接させる場合には伸展の衝撃を緩和させ、下部に当接させる場合には屈曲の動作を確実に捉えることが出来ので、縦軸を保持すると共に好適な使用感を得ることができる。
また、図１、図２、図３に示す中央当接部２ａは、首部９が屈曲及び伸展する動作の際に第七頸椎部分に当接し続けることで縦軸の確認を持続させ、前後に動くことで縦軸の確認を持続させることができる。
また、図１、図２、図３に示す中央当接部２ａは、首部９が左測屈及び右測屈する動作の際に首部９が中央当接部２ａに接触し感知出来る素材及び大きさが好ましいが特定はしない。
また、図１、図２、図３に示す中央当接部２ａは、首部９が左回旋及び右回旋する動作の際に首部９が中央当接部２ａに接触し感知出来る大きさが好ましいが、皮膚の動きを感知出来る素材を採用することで大きさなど限定はしない。
また、図１、図２、図３に示す中央当接部２ａは、中央当接部２ａの左右に形成される一対の横当接部２ｂと共に、使用者が首部９を動作させない静止状態の使用においても、使用者に正常な首部９の状態を示すことが出来るので、首部９の状態を正常に導くことが
可能である。
また、図１、図２、図３に示す中央当接部２ａは、使用者が求める機能及び形状で形成された多用な種類から好適に選択され、着脱自在に装着することは当然である。
また、図１、図２、図３に示す中央当接部２ａは、振動機能を備えることで筋群のマッサージ、温冷機能を備えることで筋群の機能回復、大きく柔らかい素材の採用で筋群のストレッチなどの各種の機能を付加する使用形態が便利性を拡張するものであるが、特定するものではなく既存の各種機能から好適な機能を採用するものである。
【００２５】
次に、図１、図２、図３に示す横当接部２ｂは、アーム部３の中央当接部２ａの左右に一対が左右対称に形成されている例を示すものであるが、一対に特定するものではない。
また、図１、図２、図３に示す横当接部２ｂは、球形状のものを示しているが特定するものではなく、また、大きさ及び形状、素材など使用者が求める性能が好適に採用されるものであり特定するものではない。
また、図１、図２、図３に示す横当接部２ｂは、首部９の動作に対応して柔軟に動き対応する構造を採用することは当然でありここで特定はしない。
また、図１、図２、図３に示す横当接部２ｂは、首部９の動作の際の強い衝撃をソフトに受け止め抑制することが可能な弾性素材及び形状を採用することが好適であり、既存の素材及び形状の中から選択されるものである。
また、図１、図２、図３に示す横当接部２ｂは、顎関節が位置する部分より後部に当接する使用形態が好適あるが、横当接部２ｂの位置を特定するものではなく、あらかじめ接続部４を複数形成し使用者が求める当接部２を接続して使用することは当然である。
また、図１、図２、図３に示す横当接部２ｂは、首部９が屈曲及び伸展、左測屈及び右測屈、左回旋及び右回旋する動作の際に首部９の動作に対応して動く機能を備えていることは当然である。
また、図１、図２、図３に示す横当接部２ｂは、首部９が屈曲及び伸展、左測屈及び右測屈、左回旋及び右回旋する動作の際に胸鎖乳突筋の周囲に当接し首部９の左右に当接するので、左右から縦軸を挟むことで確認し持続させる動作を実行するものである。
また、図１、図２、図３に示す横当接部２ｂは、首部９が左測屈及び右測屈する動作の際に首部９に横当接部２ｂが接触し感知出来る大きさ及び素材が好ましい。
また、図１、図２、図３に示す横当接部２ｂは、首部９が左回旋及び右回旋する動作の際に首部９が横当接部２ｂに接触し感知出来る大きさが好ましいが、皮膚の動きを感知出来る素材を採用することで大きさが好適である。
また、図１、図２、図３に示す横当接部２ｂは、首部９の左右の傾き及び左右の向きなどの確認することが出来るので、アーム部３と首部９の位置を調整出来るので、正確な首部９の姿勢での動作を実現するものである。
また、図１、図２、図３に示す横当接部２ｂは、首部９に当接する際にソフトな対応が求められることは当然であるが、ここで素材及び形状を特定するものではない。
また、図１、図２、図３に示す横当接部２ｂは、中央当接部２ａと共に、使用者が首部９を動作させない静止状態の使用においても、使用者に正常な首部９の状態を示すことが出来るので、首部９を動作させない使用形態が可能である。
また、図１、図２、図３に示す横当接部２ｂは、使用者が求める機能及び形状で形成された多用な種類から好適に選択され、着脱自在に装着することは当然である。
また、図１、図２、図３に示す横当接部２ｂは、振動機能を備えることで筋群のマッサージ、温冷機能を備えることで筋群の機能回復、大きく柔らかい素材の採用で筋群のストレッチなどの機能を付加する使用形態が便利性を拡張するものであるが、特定するものではなく既存の各種機能から好適な機能を採用するものである。
また、図１、図２、図３に示す横当接部２ｂは、座位姿勢での使用の際に大きくソフトな素材を使用することで好適な首部９の位置を保持出来るので、旅行移動時の睡眠を快適にすることが出来る。
【００２６】
次に、図１、図２、図３に示すアーム部３は、使用者の首部９の周囲部に係合する馬蹄形状に形成されている例を示すものである。
また、図１、図２、図３に示すアーム部３は、三つの接続部４を形成し、使用者の背部１１に係合する三つの背部係合部５を形成し、使用者の肩部１２に係合する二対の肩係合部６を形成し、先端部に一対のハンドル部７を接合し、二つの水準器部８を装着することを特徴とする。
また、図１、図２、図３に示すアーム部３は、多様な形状及び素材が好適に採用されるものであり、馬蹄形状に限定するものではなくアーム部３を左右対称に保持出来る形状及び素材及び構造に形成されることを特徴とする。
また、図１、図２、図３に示すアーム部３は、中央当接部２ａと中央背部係合部５ａとで構成する縦軸と直交することを特徴とする。
また、図１、図２、図３に示すアーム部３は、首部９を動作させる際に、首部９が当接部２を滑るように動作し、その動作をアーム部３で感知し保持できるように当接部２との接点を維持する操作を円滑に実行する構造が求められるものである。
また、図１、図２、図３に示すアーム部３は、アーム部３は、首部９の動作に柔軟に対応できる既存の素材が選択され使用されることは当然であるが、アーム部３の特徴である左右対称を保持できる強度を持ち合わせていることは当然である。
また、図１、図２、図３に示すアーム部３に形成する接続部４は、三つの接続部４を形成している例を示しているが三つの接続部４に限定するものではなく、当接部２の求める数に対応して形成される。
また、図１、図２、図３に示すアーム部３は、音声及び音響装置、通信装置の機能振動機能及び温冷機能などを備えるなど、各種機能を付加する使用形態が便利性を拡張するものであが、特定するものではなく既存の各種機能から好適な機能を採用するものである。
【００２７】
次に、図１、図２、図３に示す接続部４は、三つがアーム部３に形成され、当接部２と着脱自在に接続する例を示すものである。
また、図１、図２、図３に示す接続部４は、求められる当接部２の数に比例する数が形成されるものである。
また、図１、図２、図３に示す接続部４は、当接部２との接続の仕様及び形状など既存の手段を好適に採用するものであり特定はしない。
また、図１、図２、図３に示す接続部４は、一つがアーム部３を左右に二分する位置にアーム部３と直交して形成され、中央当接部２ａを接続し、アーム部３を左右に二分する位置から左右対称に一対の接続部４を形成し、それぞれに横当接部２ｂを接続している例を示している。
また、接続の仕様及び形状など既存の手段が好適に採用されるものであり特定するものではない。
【００２８】
次に、図１、図２、図３に示す背部係合部５は、一つがアーム部３を左右に二分する位置に中央背部係合部５ａを形成し、中央背部係合部５ａから左右対称に横背部係合部５ｂを一対形成し使用者の背部１１に係合し、アーム部３の支持及び保持を担うように働くことを特徴とするものである。
【００２９】
次に、図１、図２、図３に示す中央背部係合部５ａは、アーム部３を左右に二分する位置に形成し、使用者の背部１２の僧帽筋の間に係合し感知出来るようにすることで、中央当接部２ａと共に縦軸を感知させるものである。
また、図１、図２、図３に示す中央背部係合部５ａは、中央当接部２ａまでの直線を形成し、アーム部３と直交する縦軸を使用者の背部１１と首部９に物理的に示すことを実現するものである。
つまり、歪んだ人体に対して正確な首部９の運動を実行させるガイドとしての働きをするものである。
また、図１、図２、図３に示す中央背部係合部５ａは、形状、大きさ及び素材など既存の仕様が好適に採用されるものであり、特定も限定もするものではない。
【００３０】
次に、図１、図２、図３に示す横背部係合部５ｂは、アーム部３を左右に二分する位置から左右対称に一対形成している例を示している。
また、図１、図２、図３に示す横背部係合部５ｂは、二つ形成することで中央背部係合部５ａの位置を補完及び保持し、各当接部２と首部９の動作に対してアーム部３を安定させるように働くので、中央当接部当２ａと中央背部係合部５ａが縦軸を保持する動作を正確に実行することが出来るように構成されている。
また、図１、図２、図３に示す横背部係合部５ｂは、数及び形状、大きさ及び素材など既存の仕様が好適に採用されるものであり、特定も限定もするものではない。
【００３１】
次に、図１、図２、図３に示す肩部係合部６は、アーム部３を左右に二分する位置から左右対称に二対が形成され、使用者の肩部１２に係合するように形成する例を示している。
また、図１、図２、図３に示す肩部係合部６は、二対の肩部係合部６形成している例を示しているが、一対でも三対でも良い限定はしない。
また、図１、図２、図３に示す肩部係合部６は、球形状を使用し使用者の肩部１２の前後を挟む位置に配置しているが、球形状に特定するものではない。
また、図１、図２、図３に示す肩部係合部６は、アーム部３を肩部１２に係合させ安定させると共にアーム部３の状態及び位置を肩部１２に知らせ、アーム部３の左右対称を保持し安定化させるように働くものである。
また、図１、図２、図３に示す肩部係合部６は、ハンドル部７を用いて各接続部２の当接の状態及び位置を確認すると共に両肩のアンバランス状態を確認し、人体の傾きをアーム部３に示し確認するものである。
また、図１、図２、図３に示す肩部係合部６は、肩部１２が意識できる既存の素材及び形状が好適に選択されるものであり特定はしない。
また、図１、図２、図３に示す肩部係合部６は、使用者の体型に対応するためにアーム部３の位置を移動する手段を備えることは当然であり、着脱自在に装着する仕様でも良く、好適な装着の手段が選択なされるものであり特定はしない。
また、肩部係合部６は、形成しなくてもよく、既存の技術を応用するものであり特定も限定もしない。
【００３２】
次に、図１、図２、図３に示すハンドル部７は、アーム部３の先端に一対が接合される例を示すものである。
また、図１、図２、図３に示すハンドル部７は、アーム部３と直角に接合している例を示しているが、接合する際に可変する接合は当然であり、使用者が操作することを可能にする仕様も好適に採用されることは当然である
また、図１、図２、図３に示すハンドル部７は、握る又はつまむ又は触るなどの行為に対応する形状が好適に採用されるものであり特定はしない。
また、図１、図２、図３に示すハンドル部７は、既存の素材及び形状が好適に選択されるものであり特定はしない。
また、図１、図２、図３に示すハンドル部７は、水準器部８を兼ね備える使用形態でも良く、水準器部８のデジタルセンサーを内蔵しても良く特定するものではない。
また、図１、図２、図３に示すハンドル部７は、使用形態において胸部の近辺にハンドル部７が位置するので、使用者の手部がハンドル部７を握る又はつまむ又は触るなどの動作の際には手部の位置が胸部の位置にあるように構成するものであり、自ずと上肢部が人体の側面に引き寄せられ係合し一体となるので、上肢部の自動的な姿勢制御反応を防止することが出来ることを特徴とするものである。
つまり、一体となった上肢部と体幹部及び下肢部の上に位置する頭部の動作に対する干渉を防止するので、動揺しない頭部の姿勢が正確な首部９の動作を保証するものである。
また、図１、図２、図３に示すハンドル部７は、使用者の手部が握り、当接部２の位置をアーム部３が誘導及び補助する動作をコントロールするものである。
さらに、上肢部が人体と一体となる人体構造は、頭部の動作を人体全体で保持しようとして、人体の抗重力筋群が連動して反応し、抗重力筋群を緊張させるので特に体幹の各筋群働の運動にも寄与するものである。
また、頸椎のＳ字構造の正常化は、腰椎のＳ字構造の正常化に寄与し、人体の正常な姿勢を獲得するものである。
特に、立位姿勢での効果は、下腹部を緊張させるので痩身効果を可能にするものである。
【００３３】
次に、図１、図２、図３に示す水準器部８は、アーム部３の先端に一対の着脱自在に装着している例を示している。
また、図１、図２、図３に示す水準器部８は、首運動補助具１と人体との平衡を確認し保持することを視覚的に実現するものである。
また、図１、図２、図３に示す水準器部８は、使用者の人体の歪みや傾きがアーム部３の傾きに現れることを視覚的に示すことが出来るので、ハンドル部７を用いて補正することを目的とするものである。
また、図１、図２、図３に示す水準器部８は、使用者の人体の前後左右の傾きを確認し調整することで、正確な動作を実行し可動域を最大にすることを目的とするものである。
また、図１、図２、図３に示す水準器部８は、既存の水準器部が好適に選択され使用されるもので在り特定するものではない。
また、図１、図２、図３に示す水準器部８は、アーム部３に装着する仕様であるがハンドル部７でも良く、当接部２でも良く使用者の便利性を考慮することは当然である。
また、図１、図２、図３に示す水準器部８は、センサーを用いるデジタル仕様を採用することで、可視化の効果を確実にすると共にデータ化し運動の効率化を実現することも可能であり、特に当接部９にセンサーを装着する仕様は効果的であり、使用者の便利性及び使用感を向上させることを可能にするものである。
また、デジタル仕様の水準器部８の採用は、使用者の後頭部１０及び首運動補助具１に対して多用することにより正確な首部９の動作を保証することが出来るので、今日まで行われてきた曖昧で不確実な首の運動を初めて科学的な運動として実現するものである。
【実施例２】
【００３４】
実施例２は、図４、図５、図６を用いて本発明の首部運動補助具１の実施の例を詳細に説明する。
また、実施例２の特徴は、当接部２が使用者の後頭部１０に当接する例を示すものである。
図４は、実施例２である首部運動補助具１の例を示す斜視図である。
図５は、図４の使用例を示す略測面図である。
図６は、図４の使用例を示す略背面図である。
【００３５】
まず、図４、図５、図６に示す首部運動補助具１は、使用者の後頭部１０に当接する一つの当接部２と、アーム部３に形成する当接部２が接続する一つの接続部４と、アーム部３に形成する三つの背部係合部５と、アーム部３に形成する一対の肩部係合部６と、アーム部３と接合する一対のハンドル部７と、アーム部３に装着する二つの水準器部８で構成されている。
【００３６】
次に、図４、図５、図６に示す当接部２は、使用者の後頭部１０に当接するように構成している例を示しているが、数及び形状など本実施例に限定するものではない。
また、図４、図５、図６に示す当接部２は、アーム部３が左右に二分する位置に直交して形成している接続部４と接続している例を示すものである。
また、図４、図５、図６図に示す当接部２と接続する接続部４は、アーム部３と使用者の首部９及び肩部１２との個人差に対応するために、接続部４の角度が多様性を求められるので、複数の角度を備えることは当然であり、ここで特定はしない。
また、図４、図５、図６に示す当接部２は、面形状のものを示しているが特定するものではなく、線形状、ブラシ形状、キャスター形状、凸形状、凹形状など、使用者が求める形状が好適に採用されるものである。
また、図４、図５、図６に示す当接部２は、使用者の後頭部１０に当接することを前提として使用するものであるが、側頭部、頭頂部など頭部に当接する仕様など当然であり特定はしない。
また、図４、図５、図６に示す当接部２は、当接部２と中央背部係合部５ａで縦軸を形成し、アーム部と直交するように構成されている。
また、図４、図５、図６に示す当接部２は、首部９が屈曲及び伸展する使用形態では伸展が６０°、屈曲が５０°の可動域であることを前提とし、前後に動く機能及び構造を備える弾性素材を使用することは当然であり、素材及び形状など好適に採用されるものである。
また、図４、図５、図６に示す当接部２は、伸展が６０°、屈曲が５０°の可動域に対応する接合部４の角度が好適に採用されるものである。
また、図４、図５、図６に示す当接部２は、首部９が左測屈及び右測屈、左回旋及び右回旋の動作をする使用形態では縦軸を維持し、縦軸を前後荷動き左右に動かない素材及び形状、構造を採用することは当然である。
また、図４、図５、図６に示す当接部２は、使用者の後頭部１０に当接する部分は平面状の形状を採用し、接続部４と接続する部分に向けて細くなる例を示しているが特定するものではなく使用者の求める形状が好適に採用されるものである。
また、図４、図５、図６に示す当接部２は、接続部４の形状に対応する形状に形成するものであり、本実施例に特定するものではなく、多様な形状が採用されるものであり、例えば、後頭部１０を覆う形状、線形の形状、ブラシ形状など使用者が求める形状が好適に採用されるものである。特に頭髪との関係は、重要で在り多用な仕様が求められることは当然である。
また、図４、図５、図６に示す当接部２は、簡易で安価に形成する要求に対応が求められることは当然であり、好適な当接部２とアーム部３が一体形成される仕様は当然である。
また、図４、図５、図６に示す当接部２は、使用者が意識できる素材が好適に採用されるものであり、ここで特定するものではない。
また、図４、図５、図６に示す当接部２は、使用者の後頭部１０に当接し、背部１１の僧帽筋の間の窪みに当接する中央背部係合部５ａと共に縦軸を構成し、縦軸を確認する作業に対応するものである。
【００３７】
次に、図４、図５、図６に示すアーム部３は、使用者の首部９の周囲部に係合する馬蹄形状に形成されている例を示しているが特定するものではない。
また、図４、図５、図６に示すアーム部３は、一つの接続部４を形成し、使用者の背部１１に係合する三つの背部係合部５を形成し、使用者の肩部１２に契合する一対の肩係合部６を形成し、先端部にハンドル部７を一対接合し、二つの水準器部８及びを装着する例を示している。
また、図４、図５、図６に示すアーム部３は、多様な形状及び素材が好適に採用されるものであり、横軸を構成し左右対称を保持出来る形状及び素材及び構造に形成されることを特徴とする。
また、図４、図５、図６に示すアーム部３は、首部９を動作させる際に、後頭部１０が当接部２を滑るように動作し、その動作をアーム部３が感知し保持できるように当接部２との接点を維持する操作を円滑に実行する構造が求められるものである。
また、図４、図５、図６に示すアーム部３は、アーム部３が首部９の動作に柔軟に対応できる既存の素材が選択され使用されることは当然であるが、アーム部３の特徴である横軸を左右対称に保持できる強度を持ち合わせていることは当然である。
また、図４、図５、図６に示すアーム部３は、一つの接続部４を形成している例を示しているが一つの当接部２に限定するものではなく、当接部２の求める数に対応して形成されるものである。
また、図４、図５、図６に示すアーム部３は、音声及び音響装置、通信機能、振動機能及び温冷機能などを備えることで、各種機能を付加する使用形態が便利性を拡張するものであるが、特定するものではなく既存の各種機能から好適な機能を採用するものである。
【００３８】
次に、図４、図５、図６に示す接続部４は、一つがアーム部３に形成され、当接部２と着脱自在に接続する例を示している。
また、図４、図５、図６に示す接続部４は、求められる当接部２の数に比例する数が形成されるものである。
また、図４、図５、図６に示す接続部４は、アーム部３を左右に二分する位置に形成する例を示し、当接部２が接続され当接部２が後頭部１０の中央に当接するように構成するものである。
つまり、首部９の基本軸を基に屈曲及び伸展、左測屈及び右測屈、左回旋及び右回旋
の動作を確実に実行することが出来るようにするものである。
【００３９】
次に、図４、図５、図６に示す背部係合部５は、三つがアーム部３に形成され、使用者の背部１１に係合するように形成し、アーム部３の支持及び保持を担うように働くことを特徴とするものである。
また、図４、図５、図６に示す背部係合部５は、アーム部３を左右に二分する位置に中央背部係合部５ａ形成し、使用者の背部１２の僧帽筋の間に係合し感知出来るようにし、首部運動補助具１の中央部を人体に示し当接部２と共に縦軸を感知出来るように示すものである。
また、図４、図５、図６に示す中央背部係合部５ａは、中央背部係合部５ａの位置に接続部４を形成し、接続部４は当接部２を接続しているので、中央背部係合部５ａから当接部２までの直線を形成し、アーム部３と直交する形状を構成し、使用者の背部１１に縦軸を物理的に示すことを実現するものである。
つまり、歪んだ人体に対して正確な首部９の運動を実行させるガイドとしての首部運動補助具１を完成させるものである。
また、図４、図５、図６に示す背部係合部５は、アーム部３を左右に二分する位置から左右対称に横背部係合部５ｂを一対形成している例を示している。
また、図４、図５、図６に示す背部係合部５は、複数形成することで中央背部係合部５ａの位置を保持し安定させるように働き、ことが出来るように構成されている。
また、図４、図５、図６に示す背部係合部５は、数及び形状、大きさ及び素材など既存の仕様が好適に採用されるものであり、特定も限定もするものではない。
【００４０】
次に、図４、図５、図６に示す肩部係合部６は、一対がアーム部３に形成され、使用者の肩部１２に係合するように形成する例を示している。
また、図４、図５、図６に示す肩部係合部６は、アーチ形状のアーチ形肩部係合部６ｂ
を採用し、使用者の肩部１２に係合し、使用者にアーム部３を安定させると共にアーム部３の状態及び位置を知らせ、アーム部３の左右対称を保持し安定化させるように働くものであるが、アーチ形状に特定するものではなく、使用者の肩部１２に対応する形状が好適に採用されることは当然である。
また、図４、図５、図６に示す肩部係合部６は、複数形成することでアーム部３の安定を支持するように働き、ハンドル部７を用いて接続部２の当接の状態及び位置を確認することが出来るように構成されている。
また、図４、図５、図６に示すアーチ形肩部係合部６ｂは、使用者はアーム部３の左右の当接状態及び位置を確認し、人体の傾き及び左右のアーム部３の位置を感知している状体を確認することを補助とすることを目的とするものである。
また、図４、図５、図６に示すアーチ形肩部係合部６ｂは、肩部１２が意識できる既存の形状が好適に選択されるものである。
また、図４、図５、図６に示すアーチ形肩部係合部６ｂは、使用者の体型に対応するためにアーム部３の位置を移動する手段を備えることは当然であり、着脱自在に装着する仕様でも良く、好適な装着の手段が選択なされる。
また、肩部係合部６は、形成しなくてもよく、既存の技術を応用するものであり特定も限定もしない。
【００４１】
次に、図４、図５、図６に示すハンドル部７は、アーム部３の先端に一対が接合される例を示している。
また、図４、図５、図６に示すハンドル部７は、球形状の球形ハンドル部７ｂを形成しアーム部３の先端部に接合している例を示し、使用者がつまんで操作することを可能にしているが、球形状に特定するものではなく、使用者の求める性能に対応する形状が好適に採用されるものである。
また、図４、図５、図６に示す球形ハンドル部７ｂは、使用形態において胸部の近辺に球形ハンドル部７ｂが位置するので、使用者の手部が球形ハンドル部７ｂをつまむ動作の際には手部の位置が胸部の位置にあり、自ずと上肢部が人体の側面に引き寄せられ係合し一体となるので、上肢部の自動的な姿勢制御反応を防止することが出来ることを特徴とするものである。
つまり、一体となった上肢部と体幹部及び下肢部の上の後頭部１０の動作に対する干渉を防止するので、動揺しない後頭部１０の姿勢が正確な首部９の動作を保証するものである。
また、図４、図５、図６に示す球形ハンドル部７ｂは、使用者の手部がつまみ当接部２の位置をアーム部３が誘導及び補助する動作をコントロールするものである。
また、図４、図５、図６に示す球形ハンドル部７ｂは、使用者の上肢部を胸部に近づけるので、上肢部１５の動揺をより防止する効果を発揮することができる。
また、図４、図５、図６に示す球形ハンドル部７ｂは、使用者の手部が握ることで、使用者の上肢部を胸部の位置に保持することができるので、人体と一体状態になる上肢部は後頭部１０の動作に対応して上肢部が反応する動作を防止する。
つまり、後頭部１０の動作に対する人体の姿勢保持反応を防止するので首部９の動作をゆっくりと確実に実行することを可能にするものである。
さらに、上肢部が人体と一体となる人体構造は、後頭部１０の動作を人体全体で保持しようとして、人体の抗重力筋群が連動して反応し、抗重力筋群を緊張させるので特に体幹の各筋群働の運動にも寄与するものである。
特に、立位姿勢での効果は、下腹部を緊張させるので痩身効果を可能にするものである。
【００４２】
次に、図４、図５、図６に示す水準器部８は、アーム部３の先端に二つを装着している例を示している。
また、図４、図５、図６に示す水準器部８は、首運動補助具１及び人体の平衡を確認し保持する物理的且つ視覚的な受講を実現するものである。
また、図４、図５、図６に示す水準器部８は、使用者の人体の歪みや傾きを前提として首運動補助具１を使用することは自然であり、使用者の人体の屈曲及び伸展左右の傾きを確認し調整することで、正確な動作を実行し可動域を最大にする事を目的とするものである。
また、図４、図５、図６に示す水準器部８は、着脱自在に装着するものである。
また、図４、図５、図６に示す水準器部８は、既存の水準器部が好適に選択され使用されるもので在り特定するものではない。
また、図４、図５、図６に示す水準器部８は、アーム部３に装着する仕様であるがハンドル部７でも良く、使用者の便利性を考慮するものである。
また、図４、図５、図６に示す水準器部８は、センサーを用いるデジタル仕様を採用することで、可視化の効果を確実にすると共にデータ化し運動の効率化を実現することも可能である。
特に、後頭部当接する当接部２にセンサーを内蔵する仕様は効果的であり、使用者の便利性及び使用感を向上させることを可能にするものである。
また、デジタル仕様の水準器部８の採用は、使用者の後頭部１０及び首運動補助具１に対して多用することにより正確な首部９の動作を保証することが出来るので、今日まで行われてきた曖昧で不確実な首の運動を初めて科学的な運動として実現するものである。
【００４３】
まず、本発明の技術的思想を説明するために、図７、図８、図９を用いて当接部２が使用者の後頭部１０に当接する例を基に説明するものである。
また、図７、図８、図９は、首部９の動作である屈曲及び伸展、左測屈及び右測屈、左回旋及び右回旋する動作に対応している当接部２の位置を示し、基本軸と可動域との関連の例を示し説明する。
【００４４】
次に、図７は、首部９が屈曲及び伸展する動作の例を示す略測面図である。
図７のａは、首部９の基本位の例を示すものである。
図７のｂは、首部９が屈曲する例を示すものである。
図７のｃは、首部９が伸展する例を示すものである。
また、図７は、首部９が屈曲及び伸展をする動作の際の首部９の可動域と当接部２及びアーム部３の位置を略測面図に示し説明するものである
また、図７に示す当接部２は、後頭部１０に当接し屈曲及び伸展する首部９の前後の動作に対応して当接状態を維持する柔軟性を備えることは当然である。
また、この際にアーム部３を横軸として当接部２を縦軸として、首部９の前後に対してアーム部３と当接部２が直交する状態を維持するように構成されている。
また、当接部２は、可動域が広がる頭頂部の不安定になる動作に対して、首部９の動作をゆっくりと確実に動作させるように導くことを実現するものである。
また、図７に示す屈曲及び伸展は、屈曲の最大可動域が基本軸から６０°であり、伸展の最大可動域が基本軸から５０°であるが、使用者により可動域は異なることは当然であり、図７の角度に特定するものではない。
また、図７に示す屈曲及び伸展は、倒れる角度が異なることを特徴とするものである。
また、頸椎は、下部から七つの頸椎で構成され、第一頸椎及び第二頸椎は他の五つと異なりほとんど可動せず、上に行く程可動域は拡大する構造である。
また、屈曲及び伸展が前後の対称運動にならず屈曲の角度と伸展の角度が不一致のため
に、伸展の動作に余分な圧力を与えてしまい、頸椎の損傷を招いてしまう恐れがあるの。
本発明は、首部９又は後頭部１０に当接部を当接させるようにしたので、首部９の動作
をゆっくりと確実に動作させることを実現し、安全で正確な首の運動が出来る首運動補具１を提供するものである。
本発明の特徴は、首部９の屈曲及び伸展の可動域を人体の基本軸を基にゆっくりと確実に動作させることを目的とするものである。
また、図７は、当接部２が後頭部１０に当接し、後頭部１０が当接部２を意識し首部９をゆっくりと確実に実行させる動作は、基本軸を基に可動域を最大に動作させるように誘導するものである。
さらに、首部９を屈曲及び伸展する正しい首部運動は、首部９の筋肉バランスを正常にするので、首部９の歪みを矯正すると共に脊柱の歪みの解消に貢献するものである。
【００４５】
次に、図８は、首部９が左測屈及び右測屈する動作の例を示す略背面図である。
図８のａは、首部９の基本位の例を示すものである。
図８のｂは、首部９が左測屈する例を示すものである。
図８のｃは、首部９が右測屈する例を示すものである。
また、図８は、首部９が左測屈及び右測屈する動作の際の首部９の可動域と当接部２及びアーム部３の位置を略背面図に示し説明するものである
また、図８に示す当接部２は、後頭部１０に当接し左測屈及び右測屈する動作に対応して当接状態を維持しする柔軟性を備えることは当然である。
また、この際にアーム部３を横軸として当接部２を縦軸として、アーム部３と当接部２が直交を維持し、前後に動き左右に動かない構造に構成されている。
また、当接部２は、可動域が広がる頭頂部の不安定になる動作を正確な運動に導くことを実現するものである。
また、図８に示す左測屈及び右測屈は、屈曲の最大可動域が共に基本軸から５０°であるが、使用者により可動域は異なることは当然であり、図８の角度に特定するものではない。
また、頸椎は、下部から七つの頸椎で構成され、第一頸椎及び第二頸椎は他の五つと異なりほとんど可動せず、上に行く程可動域は拡大する構造である。
また、図８に示す左測屈及び右測屈は、可動域が広がる程に基本軸上を動作することが不安定になるのを本発明の首運動補助具１が正確な運動に導くことを実現するものである。
また、一般に左測屈及び右測屈の動作は、頭部の上部に行くほど不安定になり、測屈が基本軸から対称に動作していることの正確な情報が無く、不確実で不安定な動作になってしまうので、腕を用いる動作に終始している。
本発明の首運動補助具１は、首部の運動をゆっくりと実行させるので、左右の測屈を当接部２が左右対称に動作させ、正確な左右の測屈の運動を実現するものである。
本発明の特徴は、首部９の左測屈及び右測屈の可動域を人体の基本軸を基にゆっくりと確実に動作させることを目的とするものである。
また、当接部２が後頭部１０に当接し、後頭部１０が当接部２を意識し首部９をゆっくりと確実に実行させる動作は、基本軸を基に可動域を最大に動作させるように誘導するものである。
さらに、首部９を左測屈及び右測屈する正しい首部運動は、首部９の筋肉バランスを正                                                                  
常にするので、首部９の歪みを矯正すると共に脊柱の歪みの解消に貢献するものである。
【００４６】
次に、図９は、首部９の左回旋及び右回旋する動作の例を示す略上面図である。
図９のａは、首部９の基本位の例を示すものである。
図９のｂは、首部９が左回旋する例を示すものである。
図９のｃは、首部９が右回旋する例を示すものである。
また、図９は、首部９が左回旋及び右回旋する動作の際の首部９の可動域と当接部２及びアーム部３の位置を略上面図に示し説明するものである。
また、図９に示す当接部２は、後頭部１０に当接し左回旋及び右回旋する動作に対応して当接状態を維持する柔軟性を備えることは当然である。
また、この際にアーム部３を横軸として当接部２を縦軸として、アーム部３と当接部２が直交を維持し、前後に動き左右に動かない構造に構成されている。
また、当接部２は、可動域が広がる頭頂部の不安定になる動作を正確な運動に導くことを実現するものである。
また、図９に示す左回旋及び右回旋は、アーム部３を横軸として当接部２を縦軸として、アーム部３と当接部２が直交するように構成されている例を示している。
また、図９に示す左回旋及び右回旋は、回旋の最大可動域が共に基本軸から６０°であるが、使用者により可動域は異なることは当然である。
また、頸椎は、下部から七つの頸椎で構成され、第一頸椎及び第二頸椎は他の五つと異なりほとんど可動せず、上に行く程可動域は拡大する構造である。
ので、可動域が広がる程に基本軸上を動作することが不安定になるのを本発明の首運動補助具１が正確な運動に導くことを実現するものである。
つまり、左回旋及び右回旋の動作は、頭部の上部に行くほど不安定になり、回旋が基本軸から対称に動作していることの正確な情報が無く、特に首部の状態は個人差が著しく、不安定な動作になってしまうので、非対称の動作に終始している。
本発明の首運動補助具１は、首部の運動をゆっくりと実行させるので、左右の回旋を左右対称に動作させるので、正確な首部９の運動を実現するものである。
本発明の特徴は、首部９の左回旋及び右回旋する動作の可動域を人体の基本軸を基にゆっくりと確実に動作させることを目的とするものである。
また、当接部２が後頭部１０に当接し、後頭部１０が当接部２を意識し首部９をゆっくりと確実に実行させる動作は、基本軸を基に可動域を最大に動作させるように誘導するものである。
さらに、首部９を左測屈及び右測屈する正しい首部運動は、首部９の筋肉バランスを正常にするので、首部９の歪みを矯正すると共に脊柱の歪みの解消に貢献するものである。
【符号の説明】
【００４７】
１・・首部運動補助具
２・・当接部
２ａ・中央当接部
２ｂ・横当接部
３・・アーム部
４・・接続部
５・・背部係合部
５ａ・中央背部係合部
５ｂ・横背部係合部
６・・肩部係合部
６ａ・球形肩部係合部
６ｂ・アーチ形肩部係合部
７・・ハンドル部
８・・水準器部  
９・・首部
１０・後頭部
１１・背部
１２・肩部
【要約】
【課題】そもそも、首部の運動は、各人各様の不確実で曖昧な運動に終始している。
また、首部を運動する際には、頭部及び両上下肢が反射的に動作する姿勢制御機構が作用すると共に各個人のアンバランスな筋肉群が、正確な首部の運動を困難にしている。
現在、私たちは、首の運動を確実に実行する器具又は手段を持ち合わせていない。
【解決手段】本発明は、首部又は後頭部に当接部を当接させ、首部又は後頭部が当接部を意識し、当接部が壁となり、当接部の上をゆっくりとした確実な動作を実行するので、首部の運動として完成させるものである。
さらに、本発明の当接部は、首部の屈曲及び伸展、左測屈及び右測屈、左回旋及び右回旋の動作を水準器で確認することで首部の動作を正確な運動として実現するものである。
【選択図】図１【図１】
0006664624.tif 000002
【図２】
0006664624.tif 000003
【図３】
0006664624.tif 000004
【図４】
0006664624.tif 000005
【図５】
0006664624.tif 000006
【図６】
0006664624.tif 000007
【図７】
0006664624.tif 000008
【図８】
0006664624.tif 000009
【図９】
0006664624.tif 000010